(57)【要約】【課題】車両毎の点検日と、所定期間内の点検の実施予定とを容易に特定し得る情報管理システムを提供する。【解決手段】車両の登録番号および点検日（次回車検日、次回定期点検日および次回任意点検日等）を特定可能な車両情報と、車両に対して規定された点検実施日を特定可能な点検実施日情報とを車両毎に相互に関連付けて記憶する記憶装置、並びに、記憶装置に記憶されている各情報に基づいて情報表示画面１０を表示部４に表示させる制御装置を備えた情報管理システムであって、制御装置は、情報表示画面１０として、登録番号および点検日を相互に関連付けて表示する車両情報表示部（第３表示部１３）、並びに、規定された期間分のカレンダーにおける各日付枠に対応する日付と点検実施日とが一致する車両の数（点検実施予定表示）を各日付枠内に表示するカレンダー表示部（第４表示部１４）を一画面中に並べて表示させる。【選択図】図１２
2007066217.tif 000002
【特許請求の範囲】
【請求項１】
車両の登録番号および点検日を特定可能な車両情報と、前記車両に対して規定された点検実施日を特定可能な点検実施日情報とを当該車両毎に相互に関連付けて記憶する記憶装置、並びに、前記記憶装置に記憶されている各情報に基づいて情報表示画面を表示装置に表示させる制御装置を備えた情報管理システムであって、
前記制御装置は、前記情報表示画面として、前記登録番号および前記点検日を相互に関連付けて表示する車両情報表示部、並びに、規定された期間分のカレンダーにおける各日付枠に対応する日付と前記点検実施日とが一致する前記車両の数を特定可能な点検実施予定表示を当該各日付枠内に表示するカレンダー表示部を一画面中に並べて表示させる情報管理システム。
【請求項２】
前記記憶装置は、前記車両に関連付けられた管理者の氏名および連絡先を特定可能な管理者情報を記憶し、
前記制御装置は、前記情報表示画面として、前記車両情報表示部と、前記カレンダー表示部と、前記管理者の前記氏名および前記連絡先を表示する管理者情報表示部とを一画面中に並べて表示させる請求項１記載の情報管理システム。
【請求項３】
前記制御装置は、指定された期間内に前記点検日が到来する前記車両に関連付けられた前記管理者の前記氏名を一覧表示させ、当該一覧表示させた前記氏名のうちから所定の当該氏名が選択されたときに、当該選択された前記管理者の前記連絡先を前記管理者情報表示部に表示させると共に、当該選択された前記管理者を関連付けた前記車両の前記登録番号および前記点検日を前記車両情報表示部に表示させる請求項２記載の情報管理システム。
【請求項４】
前記制御装置は、前記情報表示画面を表示させた状態において所定の前記車両に対して前記点検実施日が規定されたときに、当該規定された点検実施日を前記所定の車両についての前記点検実施日情報として前記記憶部に記憶させると共に、当該規定された点検実施日に対応する前記日付枠内に当該所定の車両についての前記点検実施予定表示を表示させる請求項１から３のいずれかに記載の情報管理システム。
【請求項５】
前記制御装置は、前記カレンダー表示部における前記各日付枠のうちから所定の日付枠が選択されたときに、当該選択された日付枠に対応する日付と前記点検実施日とが一致する前記車両について、少なくとも当該車両に関連付けられている管理者の前記氏名と当該車両の登録番号とを相互に関連付けて一覧表示させる請求項１から４のいずれかに記載の情報管理システム。
【発明の詳細な説明】
【技術分野】
【０００１】
本発明は、車両毎の点検日、および点検を実施する点検実施日を管理するための情報管理システムに関するものである。
【背景技術】
【０００２】
例えば自動車販売店や整備工場では、顧客が所有する車両についての車検日や法定点検日等（以下、これらを総称して「点検」ともいう）が到来する旨をダイレクトメール等によって報知するサービスが日常的に実施されている。具体的には、例えば顧客管理台帳や車両管理台帳等に記載された情報に基づき、近々に点検日が到来する車両およびその所有者を特定して該当する顧客に点検日が近付いている旨を報知する。また、顧客から点検の実施を依頼されたときには、例えばホワイトボード等に記されている月間予定表を参照して他の顧客（車両）の点検実施数（点検の予約数）が少ない日付を特定すると共に、特定した日付を顧客に告げる。さらに、顧客との相談の結果、点検の実施日（点検予約日）が確定したときには、月間予定表の対応する日付枠内にその顧客の氏名や車両の登録番号等を書き込む。これにより、点検日が過ぎて点検が未実施となる事態を回避することが可能となる。
【０００３】
一方、台帳等を参照して点検日が到来する車両を特定する事務処理が非常に煩雑であるため、今日では、顧客情報や車両情報をデータベース化してパーソナルコンピュータ（以下、「パソコン」ともいう）に登録し、このデータベースを利用して点検日等を管理する情報管理システムが開発されている。例えば、特開２００２−２９７８０６号公報には、パソコンを利用して車両の法定点検日等を管理するための車両管理システムが開示されている。この車両管理システムは、ディスプレイおよびキーボード等が接続されたパソコン（ハードウェア）を備えて構成されている。また、パソコンに搭載されたハートディスクには、車両管理用のアプリケーションがインストールされている。さらに、このハードディスクには、顧客の個人情報、車種、年式および車台番号等の車両情報と、整備実施情報（整備を実施した履歴）や整備計画（整備の予定日）等の整備情報とがアプリケーションの一部として記憶させられる。
【０００４】
この車両管理システムでは、まず、アプリケーションを起動し、管理すべき顧客（車両）についての車両情報や、その車両についての整備情報を入力操作（登録）する。これにより、管理すべき車両毎に、例えば、車種名、初年度登録日、所有者の個人情報（住所、氏名および電話番号等）、担当営業マンの氏名、およびダイレクトメールの発送予定（点検日が到来する日付の情報）等の管理情報をディスプレイに表示させることが可能な状態となる。また、この車両管理システムでは、上記の管理情報を表示する表示画面に代えて、指定した期間内（例えば、現在日時から１ヶ月の間）に点検日が到来する車両とその所有者とを時系列に一覧表示させることができる。これにより、一覧表示させた情報に基づき、近々に点検日が到来する車両を特定し、特定した車両の所有者（顧客）に宛ててダイレクトメール等を発送することが可能となる。
【特許文献１】特開２００２−２９７８０６号公報（第２−４頁、図１−５）
【発明の開示】
【発明が解決しようとする課題】
【０００５】
ところが、従来の車両管理システムには、以下の問題点がある。すなわち、従来の車両管理システムでは、登録された車両情報や整備情報等に基づき、指定期間内に点検日が到来する車両とその所有者とを一覧表示させる構成が採用されている。この場合、例えば車検については、車検日の１ヶ月前から車検日までの間に実施すればよいため、実際に車検を実施する実施日は、販売店や所有者の都合に応じて車検日（車両情報として登録されている日付：期限日）とは相違する日付となるケースが多い。したがって、指定期間内に点検日が到来する車両等を一覧表示させるだけで、点検の実施日に関する情報の登録および表示ができない従来の車両管理システムでは、例えばホワイトボード等に記した月間予定表に点検実施日が確定した車両についての情報を記入して車両管理システムとは別個に実施日を管理する必要がある。このため、例えば、顧客との相談によって点検実施日を確定する際に、車両管理システムの表示画面を参照してその顧客が所有する車両の点検日を特定すると共に、ホワイトボード等に記した月間予定表を参照して他の顧客が所有する車両についての点検の実施予定（点検予約数が少ない日付）を特定する必要がある。このため、従来の車両管理システムには、これらの事務処理が非常に煩雑であるという問題点が存在する。
【０００６】
本発明は、かかる問題点に鑑みてなされたものであり、車両毎の点検日と、所定期間内の点検の実施予定とを容易に特定し得る情報管理システムを提供することを主目的とする。
【課題を解決するための手段】
【０００７】
上記目的を達成すべく、請求項１記載の情報管理システムは、車両の登録番号および点検日を特定可能な車両情報と、前記車両に対して規定された点検実施日を特定可能な点検実施日情報とを当該車両毎に相互に関連付けて記憶する記憶装置、並びに、前記記憶装置に記憶されている各情報に基づいて情報表示画面を表示装置に表示させる制御装置を備えた情報管理システムであって、前記制御装置は、前記情報表示画面として、前記登録番号および前記点検日を相互に関連付けて表示する車両情報表示部、並びに、規定された期間分のカレンダーにおける各日付枠に対応する日付と前記点検実施日とが一致する前記車両の数を特定可能な点検実施予定表示を当該各日付枠内に表示するカレンダー表示部を一画面中に並べて表示させる。なお、本発明における点検日には、車検日、法定点検日、任意点検日、新車１ヶ月点検日および新車６ヶ月点検日などの車両毎に規定される各種点検日が含まれる。
【０００８】
また、請求項２記載の情報管理システムは、請求項１記載の情報管理システムにおいて、前記記憶装置が前記車両に関連付けられた管理者の氏名および連絡先を特定可能な管理者情報を記憶し、前記制御装置が前記情報表示画面として、前記車両情報表示部と、前記カレンダー表示部と、前記管理者の前記氏名および前記連絡先を表示する管理者情報表示部とを一画面中に並べて表示させる。なお、本発明における管理者には、車両の管理責任者のみならず、車両の所有者や車両の利用者等の各種管理者が含まれる。
【０００９】
また、請求項３記載の情報管理システムは、請求項２記載の情報管理システムにおいて、前記制御装置が、指定された期間内に前記点検日が到来する前記車両に関連付けられた前記管理者の前記氏名を一覧表示させ、当該一覧表示させた前記氏名のうちから所定の当該氏名が選択されたときに、当該選択された前記管理者の前記連絡先を前記管理者情報表示部に表示させると共に、当該選択された前記管理者を関連付けた前記車両の前記登録番号および前記点検日を前記車両情報表示部に表示させる。
【００１０】
また、請求項４記載の情報管理システムは、請求項１から３のいずれかに記載の情報管理システムにおいて、前記情報表示画面を表示させた状態において所定の前記車両に対して前記点検実施日が規定されたときに、前記制御装置が、当該規定された点検実施日を前記所定の車両についての前記点検実施日情報として前記記憶部に記憶させると共に、当該規定された点検実施日に対応する前記日付枠内に当該所定の車両についての前記点検実施予定表示を表示させる。
【００１１】
さらに、請求項５記載の情報管理システムは、請求項１から４のいずれかに記載の情報管理システムにおいて、前記カレンダー表示部における前記各日付枠のうちから所定の日付枠が選択されたときに、前記制御装置が当該選択された日付枠に対応する日付と前記点検実施日とが一致する前記車両について、少なくとも当該車両に関連付けられている管理者の前記氏名と当該車両の登録番号とを相互に関連付けて一覧表示させる。
【発明の効果】
【００１２】
請求項１記載の情報管理システムによれば、記憶装置に記憶されている各情報に基づき、制御装置が、登録番号および点検日を相互に関連付けて表示する車両情報表示部、並びに、規定された期間分のカレンダーにおける各日付枠内に点検実施予定表示を表示するカレンダー表示部を一画面中に並べて情報表示画面として表示装置に表示させることにより、パソコンの表示画面（管理システムの表示画面）とは別個にホワイトボード等に記した月間予定表を参照して点検の実施予定（点検予約数が少ない日付）を特定する必要がある従来の車両管理システムとは異なり、管理情報表示画面を参照するだけで、車両毎の点検日と所定期間内における点検の実施予定とを容易に特定することができる。したがって、顧客に対する点検日の報知から点検実施日の確定までの事務処理をスムーズに行うことができる。
【００１３】
また、請求項２記載の情報管理システムによれば、車両情報表示部と、カレンダー表示部と、管理者の氏名および連絡先を表示する管理者情報表示部とを一画面中に並べて情報表示画面として表示させることにより、管理情報表示画面とは別個に顧客台帳等を参照することなく、管理情報表示画面を参照するだけで顧客（管理者）の詳細な情報を認識することができる。したがって、顧客に対する連絡（ダイレクトメールの発送や電話連絡等）を容易に行うことができる。
【００１４】
さらに、請求項３記載の情報管理システムによれば、指定された期間内に点検日が到来する車両に関連付けられた管理者の氏名を一覧表示させ、所定の氏名が選択されたときに、その管理者の連絡先を管理者情報表示部に表示させると共に、その管理者を関連付けた車両の登録番号および点検日を車両情報表示部に表示させることにより、指定期間内に点検日が到来する車両およびその管理者を容易に特定することができ、しかも、その車両および管理者についての詳細な情報を容易に特定することができる。したがって、顧客（管理者）に対する点検日の報知から点検実施日の確定（登録）までの事務処理を一層スムーズに行うことができる。
【００１５】
また、請求項４記載の情報管理システムによれば、情報表示画面を表示させた状態において所定の車両に対して点検実施日が規定されたときに、制御装置が、規定された点検実施日を所定の車両についての点検実施日情報として記憶装置に記憶させると共に、規定された点検実施日に対応する日付枠内に所定の車両についての点検実施予定表示を表示させることにより、点検実施の予約数が少ない日付の確定から点検実施日の確定までの事務処理をスムーズに行うことができる。
【００１６】
さらに、請求項５記載の情報管理システムによれば、カレンダー表示部において所定の日付枠が選択されたときに、制御装置が、選択された日付枠に対応する日付と点検実施日とが一致する車両について、少なくとも車両に関連付けられている管理者の氏名と車両の登録番号とを相互に関連付けて一覧表示させることにより、点検実施日が確定している車両やその管理者についての詳細な情報を容易に特定することができる。
【発明を実施するための最良の形態】
【００１７】
以下、本発明に係る情報管理システムの最良の形態について、添付図面を参照して説明する。
【００１８】
図１に示す情報管理システム１は、自動車販売店や整備工場等に設置されて顧客の所有車両についての点検整備情報を管理するシステムであって、一例として、この情報管理システム１用のアプリケーションソフトがインストールされたパソコンで構成されている。具体的には、情報管理システム１は、操作部２、記憶部３、表示部４および制御部５を備えている。操作部２は、マウス等のポインティングデバイスと、キーボード等の入力デバイスとを備えている。記憶部３は、本発明における記憶装置に相当し、一例として、パソコンに搭載されたハードディスクドライブで構成されている。また、記憶部３は、上記のアプリケーションソフトを記憶すると共に、車両情報Ｄ１、得意先情報Ｄ２（本発明における管理者情報）および整備予定情報Ｄ３（本発明における点検実施日情報）などを車両毎に相互に関連付けて記憶する。
【００１９】
この場合、車両情報Ｄ１は、この情報管理システム１によって管理すべき車両についての情報を記録したデータであって、一例として、登録番号、車体番号、製造メーカー、車種名、形式指定番号、類別記号、形式番号、原動機形式番号、次回車検日、次回法定点検日、次回任意点検日、前回点検日、および前回点検時の総走行距離数などを特定可能な各種情報が記録されている。また、得意先情報Ｄ２は、この情報管理システム１によって管理すべき得意先（本発明における管理者の一例）についての情報を記録したデータであって、一例として、得意先名（本発明における氏名）、フリガナ、連絡先（得意先の住所、電話番号、携帯電話番号および電子メールアドレス等）および得意先についての特記事項（備考）などを特定可能な各種情報が記録されている。なお、得意先が法人である場合を考慮し、車両を利用する営業所名、連絡先、担当者、請求締め日および入金日等を得意先情報Ｄ２に含ませることもできる。整備予定情報Ｄ３は、車両に対して規定された点検実施日（点検予定日）を特定可能な情報が記録されている。
【００２０】
表示部４は、本発明における表示装置に相当し、一例として、パソコンに接続されたディスプレイで構成されて、制御部５の制御に従って図２に示す管理情報表示画面１０等を表示する。この場合、管理情報表示画面１０は、本発明における情報表示画面の一例であって、第１表示部１１から第５表示部１５までの５つの表示部（表示領域）と、得意先ボタン１７ａ、車両ボタン１７ｂ、納品ボタン１７ｃ、見積ボタン１７ｄおよび車歴ボタン１７ｅ等の各種操作ボタンとで構成されている。この場合、得意先ボタン１７ａには、得意先の新規登録処理や、既に登録されている得意先に関する情報の表示処理を実行する機能が割り当てられている。また、車両ボタン１７ｂには、管理すべき車両の新規登録処理や、既に登録されている車両に関する情報の表示処理を実行する機能が割り当てられている。さらに、納品ボタン１７ｃには、納品書の発行処理を実行する機能が割り当てられている。また、見積ボタン１７ｄには、見積書の発行処理を実行する機能が割り当てられている。さらに、車歴ボタン１７ｅには、登録されている車両の過去の点検実績を参照する機能が割り当てられている。
【００２１】
また、図６に示すように、第１表示部１１には、第２表示部１２や第３表示部１３に各種情報を表示させる対象（得意先名や車両の登録番号等）が表示される。第２表示部１２（本発明における管理者情報表示部）には、得意先情報Ｄ２に基づく各種情報が表示される。第３表示部１３（本発明における車両情報表示部）には、車両情報Ｄ１に基づく登録番号や点検日の各種情報が相互に関連付けて表示される。第４表示部１４（本発明におけるカレンダー表示部）には、一例として、現在日時を含む１ヶ月分（規定された期間分）のカレンダー（七曜歴：カレンダーにおける各日付枠に対応する日付）が表示されると共に、このカレンダーにおける各日付枠内に車検を実施する車両の数、法定点検を実施する車両の数、およびその他の点検（任意点検等）を実施する車両の数が表示される。なお、この例では、上記の「車両の数」が本発明における「点検実施予定表示」に相当する。この場合、「車両の数」に代えて、点検等を実施する車両の「登録番号」や、その車両の「所有者（氏名）」等を「点検実施予定表示」として日付枠内に列記する構成を採用することもできる。第５表示部１５には、第４表示部１４において選択された日付枠（同図においてカーソル表示１６ｂが重ね合わされている日付枠）に対応する日に点検等を実施する車両について、その所有者（得意先名）、製造メーカー、車種名、登録番号、点検内容（業務区分）および特記事項（備考）などをその車両と相互に関連付けて一覧表示される。
【００２２】
制御部５は、本発明における制御装置に相当し、上記のアプリケーションソフトの記述に従い、記憶部３に対する各種情報の記憶制御や、記憶部３に記憶されている各種情報に基づく各種表示画面を表示部４に表示させる表示制御を実行する。なお、本明細書では、本発明に係る情報管理システムを１台のパソコンによって構築した例について説明するが、例えば、ＬＡＮに接続したサーバーに上記のアプリケーションをインストールすると共に、このサーバーに対してＬＡＮを介して接続可能なクライアント端末を用いて、後述する各種情報の入力操作（情報の登録）や登録情報の表示（管理情報表示画面１０の表示）を実行するように情報管理システム１を構築することもできる。
【００２３】
この情報管理システム１の使用に際しては、まず、上記のアプリケーションソフトを起動させ、図２に示すように、管理情報表示画面１０を表示部４に表示させる。この際に、制御部５は、現在日時（一例として、７月４日）を含む１ヶ月間のカレンダーを第４表示部１４に表示させると共に、整備予定情報Ｄ３に基づき、既に点検を実施する旨が確定している車両の数を特定してカレンダーの各日付枠内に特定した車両の数を表示させる。この場合、この情報管理システム１では、アプリケーションの起動直後に、各種選択ボタンが表示されたメニュー画面を表示させることなく、管理情報表示画面１０を直ちに表示させる。これにより、後述するように第１表示部１１から第５表示部１５に表示される各種情報を直ちに参照させることが可能となっている。
【００２４】
次いで、例えば、来月中に法定点検日が到来する車両およびその所有者（得意先）を特定する際には、第１表示部１１内において「点検」のタブを選択操作する。この際に、制御部５は、図３に示すように、「前月」、「当月」および「来月」の選択肢と、カーソル表示１６ａとを第１表示部１１内に表示させる。続いて、操作部２のカーソル移動キーを操作してカーソル表示１６ａを「来月」に重ね合わせた状態でエンターキーを操作する。これに応じて、制御部５は、車両情報Ｄ１に基づき、来月中に法定点検日が到来する車両を特定すると共に、得意先情報Ｄ２に基づき、特定した車両に関連付けられている得意先（得意先の氏名）を特定し、図４に示すように、特定した氏名を第１表示部１１内に一覧表示させる。なお、この情報管理システム１では、上記のようにカーソル移動キーの操作によるカーソル表示１６ａの移動およびエンターキーの操作に代えて、マウスによって所望の選択肢をクリックする操作も可能となっている。
【００２５】
次いで、例えば「特許太郎」との得意先についての詳細な得意先情報を表示させるときには、カーソル表示１６ａを「特許太郎」に重ね合わせた状態でエンターキーを操作する。これに応じて、制御部５は、図５に示すように、「特許太郎」が所有する車両のうち、来月中に法定点検日が到来する車両の登録番号（この例では、「長野５００あ１２３４」）を第１表示部１１内に表示させると共に、図６に示すように、得意先情報Ｄ２に基づき、「特許太郎」についての詳細な情報を第２表示部１２に表示させる。続いて、「特許太郎」が所有する車両についての詳細な車両情報を表示させるときには、カーソル表示１６ａを「長野５００あ１２３４（登録番号）」に重ね合わせた状態でエンターキーを操作する。これに応じて、制御部５は、車両情報Ｄ１に基づき、「長野５００あ１２３４」との登録番号の車両についての詳細な情報を第３表示部１３に表示させる。これにより、来月中に法定点検日が到来する車両のうちの「特許太郎」が所有する「長野５００あ１２３４」との車両についての詳細な車両情報と、「特許太郎」との得意先についての詳細な得意先情報とを参照することが可能となる。
【００２６】
続いて、「長野５００あ１２３４」との車両の法定点検日が来月中に到来する旨を得意先に連絡して、点検実施日を決定する際には、例えば、第２表示部１２に表示されている電話番号を参照して「特許太郎」に電話連絡する。この際には、第２表示部１２に表示されている各種情報を参照することで、例えば、「特許太郎」に対する連絡に際して日中は携帯電話に連絡する旨を認識することができる。また、携帯電話に連絡した際には、第３表示部１３に表示されている各種情報を参照することで、「特許太郎」が所有する車両のうちのいずれの車両につていての法定点検日が到来するのか（登録番号および車種名等）や、その車両の法定点検日が８月１５日である旨を得意先に告げることができる。ここで、得意先から、例えば７月１１日から７月１３日の間に点検を実施して欲しいとの要望があったときには、第４表示部１４に表示されているカレンダーを参照することにより、該当期間中の点検予約状況を把握することができる。
【００２７】
この際に、第３表示部１３内のカレンダーを参照することで７月１２日の予約数（点検を実施する旨が確定している車両の数）が少ないと判断したときには、カーソル表示１６ｂを７月１２日の日付枠に重ね合わせる。この際に、制御部５は、整備予定情報Ｄ３に基づき、７月１２日に車検等を実施する旨が確定している車両についての詳細な情報を第５表示部１５内に表示させる。これにより、第５表示部１５内に表示された情報に基づき、午前中に作業を実施可能な「車検」の予約が１台分だけ確定している旨を認識し、７月１２日の午後に法定点検を実施可能である旨を得意先に告げることができる。次いで、得意先の了承が得られて７月１２日に法定点検を実施する旨が確定した際には、カーソル表示１６ｂを７月１２日の日付枠に重ね合わせたままエンターキーを操作する。これに応じて、制御部５は、図７に示す登録情報表示画面２０を管理情報表示画面１０上に重ねて表示させる（ポップアップ表示させる）。
【００２８】
この際に、制御部５は、第４表示部１４においてカーソル表示１６ｂが重ね合わされていた日付枠に対応する日付を登録情報表示画面２０の「予約日」に表示させると共に、第２表示部１２に詳細情報を表示させている得意先の氏名（この例では「特許太郎」）を登録情報表示画面２０の「得意先名」に表示させる。また、制御部５は、第３表示部１３に詳細情報を表示させている車両の情報を登録情報表示画面２０の「メーカー」、「車種名」および「登録番号」に表示させる。次いで、登録情報表示画面２０の「業務区分」を「点検」に変更すると共に、得意先からの依頼に応じて「備考」に例えば「代車用意」との特記事項を入力する。続いて、登録ボタン２１ａを操作することにより、登録情報表示画面２０の各部位に入力されている情報を確定させる。この際に、制御部５は、入力操作された情報（７月１２日に「長野５００あ１２３４」の法定点検を実施する旨）に基づき、その車両についての整備予定情報Ｄ３を生成して記憶部３に記憶させる。また、制御部５は、上記の法定点検の実施が確定したことに応じて、図８に示すように、第４表示部１４のカレンダーにおける７月１２日の日付枠内の「点検」の数値を「１」に変更する（点検実施予定表示の表示）と共に、記憶部３に記憶させた整備予定情報Ｄ３に基づき、７月１２日に点検等を実施する車両についての情報を第５表示部１５に一覧表示させる。これにより、「特許太郎」が所有する車両についての法定点検の予約処理が完了する。
【００２９】
一方、点検実施日の登録処理が完了した後に、例えば、得意先（一例として「特許太郎」）から、７月１２日の法定点検に際して代車を用意する旨を依頼しているか否かの問い合わせがあったときには、まず、第１表示部１１内において「予約」のタブを選択操作する。この際に、制御部５は、図９に示すように、「前月」、「当月」および「来月」の選択肢と、カーソル表示１６ａとを第１表示部１１内に表示させる。続いて、同図に示すように、カーソル表示１６ａを「当月」に重ね合わせた状態でエンターキーを操作する。これに応じて、制御部５は、整備予定情報Ｄ３に基づき、当月中に車検や法定点検等を実施する旨が予約されている日付を確定し、図１０に示すように、特定した日付を第１表示部１１内に一覧表示させる。次いで、カーソル表示１６ａを「２００５／０７／１２」に重ね合わせた状態でエンターキーを操作する。この際に、制御部５は、図１１に示すように、「車検」および「点検」の選択肢を第１表示部１１内に表示させる。
【００３０】
次いで、カーソル表示１６ａを「点検」に重ね合わせた状態でエンターキーを操作する。これに応じて、制御部５は、図１２に示すように、７月１２日に法定点検を実施する旨が予約されている車両の所有者（得意先名）と、該当する車両とを第１表示部１１内に一覧表示させる。また、制御部５は、第１表示部１１内においてカーソル表示１６ａが「特許太郎」に重ね合わされた際に、得意先情報Ｄ２に基づき、「特許太郎」についての詳細な情報を第２表示部１２に表示させる。さらに、制御部５は、第１表示部１１内においてカーソル表示１６ａが「長野５００あ１２３４」に重ね合わされた際に、車両情報Ｄ１に基づき、「長野５００あ１２３４」についての詳細な情報を第３表示部１３に表示させる。また、制御部５は、第１表示部１１内で選択されている日付（この例では、７月１２日）に対応する日付枠上にカーソル表示１６ｂを移動させると共に、整備予定情報Ｄ３に基づき、７月１２日に点検等を実施する車両についての情報を第５表示部１５に一覧表示させる。これにより、「特許太郎」が所有する車両についての７月１２日の法定点検に際して代車を用意する依頼を受けている旨が第５表示部１５の備考欄に表示される。
【００３１】
このように、この情報管理システム１によれば、記憶部３に記憶されている車両情報Ｄ１および整備予定情報Ｄ３に基づき、制御部５が、登録番号および点検日を相互に関連付けて表示する車両情報表示部（第３表示部１３）、並びに、規定された期間分（この例では、１ヶ月間）のカレンダーにおける各日付枠内に点検実施予定表示（点検等を実施する車両の数）を表示するカレンダー表示部（第４表示部１４）を一画面中に並べて管理情報表示画面１０として表示部４に表示させることにより、パソコンの表示画面とは別個にホワイトボード等に記した月間予定表を参照して点検の実施予定（点検予約数が少ない日付）を特定する必要がある従来の車両管理システムとは異なり、管理情報表示画面１０を参照するだけで、車両毎に規定された点検日と所定期間内における点検の実施予定とを容易に特定することができる。したがって、顧客に対する点検日の報知から点検実施日の確定までの事務処理をスムーズに行うことができる。
【００３２】
また、この情報管理システム１によれば、車両情報表示部（第３表示部１３）と、カレンダー表示部（第４表示部１４）と、管理者（得意先）の氏名（得意先名）および連絡先（住所および電話番号等）を表示する管理者情報表示部（第２表示部１２）とを一画面中に並べて管理情報表示画面１０として表示させることにより、管理情報表示画面１０とは別個に顧客台帳等を参照することなく、管理情報表示画面１０を参照するだけで顧客の詳細な情報を認識することができる。したがって、顧客に対する連絡（ダイレクトメールの発送や電話連絡等）を容易に行うことができる。
【００３３】
さらに、この情報管理システム１によれば、指定された期間内に点検日が到来する車両に関連付けられた管理者の氏名を第１表示部１１に一覧表示させ、所定の氏名が選択されたときに、その管理者の連絡先を管理者情報表示部（第２表示部１２）に表示させると共に、その管理者を関連付けた車両の登録番号および点検日を車両情報表示部（第３表示部１３）に表示させることにより、指定期間内に点検日が到来する車両およびその管理者（得意先）を容易に特定することができ、しかも、その車両および管理者についての詳細な情報を容易に特定することができる。したがって、顧客に対する点検日の報知から点検実施日の確定（登録）までの事務処理を一層スムーズに行うことができる。
【００３４】
また、この情報管理システム１によれば、管理情報表示画面１０を表示させた状態において所定の車両に対して点検実施日が規定されたときに、制御部５が、規定された点検実施日を所定の車両についての整備予定情報Ｄ３として記憶部３に記憶させると共に、規定された点検実施日に対応する日付枠内に所定の車両についての点検実施予定表示（その車両の数を含む点検実施車両数）を表示させることにより、点検実施の予約数が少ない日付の確定から点検実施日の確定までの事務処理をスムーズに行うことができる。
【００３５】
さらに、この情報管理システム１によれば、カレンダー表示部（第４表示部１４）において所定の日付枠が選択されたときに、制御部５が、選択された日付枠に対応する日付と点検実施日とが一致する車両について、少なくとも車両に関連付けられている管理者の氏名と車両の登録番号とを相互に関連付けて第５表示部１５に一覧表示させることにより、点検実施日が確定している車両やその管理者（得意先）についての詳細な情報を容易に特定することができる。
【００３６】
なお、本発明は、上記の構成に限定されない。例えば、上記の情報管理システム１では、第４表示部１４内に１ヶ月分のカレンダーを表示させる構成を採用しているが、本発明はこれに限定されず、例えば、１週間分のカレンダーや、２ヶ月間または３ヶ月間のカレンダーを第４表示部１４内に表示させる構成を採用することもできる。この場合、例えば１週間分のカレンダーを表示させる構成を採用したときには、各日付枠の表示面積を大きくすることができる結果、より多くの情報（より詳細な点検実施予定表示）を１つの日付枠内に表示させることができる。また、２ヶ月以上のカレンダーを表示させる構成を採用したときには、長期に亘る点検予約状況を認識することができる。
【図面の簡単な説明】
【００３７】
【図１】情報管理システム１の構成を示すブロック図である。
【図２】管理情報表示画面１０の一例を示す表示画面図である。
【図３】「前月」、「当月」および「来月」との選択肢が表示された状態の第１表示部１１の表示画面図である。
【図４】来月中に点検日が到来する車両の所有者（得意先氏名）が一覧表示された状態の第１表示部１１の表示画面図である。
【図５】得意先（「特許太郎」）が所有する車両のうちの来月中に点検日が到来する車両の登録番号が表示された状態の第１表示部１１の表示画面図である。
【図６】第１表示部１１に得意先情報が表示され、第２表示部１２に車両情報が表示された状態の管理情報表示画面１０の表示画面図である。
【図７】登録情報表示画面２０の一例を示す表示画面図である。
【図８】点検実施日の登録が完了した時点における管理情報表示画面１０の一例を示す表示画面図である。
【図９】「前月」、「当月」および「来月」との選択肢が表示された状態の第１表示部１１の他の表示画面図である。
【図１０】当月中に何らかの点検実施が確定している日付が一覧表示された状態の第１表示部１１の表示画面図である。
【図１１】７月１２日についての「車検」および「点検」との選択肢が表示された状態の第１表示部１１の表示画面図である。
【図１２】第１表示部１１において選択された車両についての得意先情報が第２表示部１２に表示され、選択された車両についての車両情報が第３表示部１３に表示された状態の管理情報表示画面１０の一例を示す表示画面図である。
【符号の説明】
【００３８】
１  情報管理システム
２  操作部
３  記憶部
４  表示部
５  制御部
１０  管理情報表示画面
１１  第１表示部
１２  第２表示部
１３  第３表示部
１４  第４表示部
１５  第５表示部
１６ａ，１６ｂ  カーソル表示
２０  登録情報表示画面
Ｄ１  車両情報
Ｄ２  得意先情報
Ｄ３  整備予定情報
【図１】
2007066217.tif 000003
【図２】
2007066217.tif 000004
【図３】
2007066217.tif 000005
【図４】
2007066217.tif 000006
【図５】
2007066217.tif 000007
【図６】
2007066217.tif 000008
【図７】
2007066217.tif 000009
【図８】
2007066217.tif 000010
【図９】
2007066217.tif 000011
【図１０】
2007066217.tif 000012
【図１１】
2007066217.tif 000013
【図１２】
2007066217.tif 000014